(57)【要約】【課題】掃除作業中でも確実に使用者がテレビジョンを視聴できる電気掃除機を提供する。【解決手段】掃除機本体１内部に電力を供給する電源コード（図示せず）と、塵埃を吸引する吸引風を発生させる電動送風機２と、テレビジョンＰＬＣ通信制御部１３を有すると共に音を発生するテレビジョン１２との通信を前記電源コードを介して通信するＰＬＣ（Ｐｏｗｅｒ  Ｌｉｎｅ  Ｃｏｍｍｕｎｉｃａｔｉｏｎ）通信制御部１０と、前記ＰＬＣ通信制御部１０からの信号の処理や前記電動送風機２の動作を検知し制御する制御部１１とを備え、前記電動送風機２の動作時には前記ＰＬＣ通信制御部１０を介してテレビジョンＰＬＣ通信制御部１３へ音量を上げる信号を送信するもので、テレビジョン１２の音声を上げることが可能となり、使用者が電気掃除機の運転音に妨げられることなく、テレビジョン１２の音声を聞き取ることが可能となるものである。【選択図】図２
2014100281.tif 000002
【特許請求の範囲】
【請求項１】
掃除機本体内部に電力を供給する電源コードと、塵埃を吸引する吸引風を発生させる電動送風機と、外部通信機器を有すると共に音を発生する外部機器との通信を前記電源コードを介して通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号の処理や前記電動送風機の動作を検知し制御する制御部とを備え、前記電動送風機の動作時には前記ＰＬＣ通信制御部を介して前記外部通信機器へ音量を上げる信号を送信することを特徴とした電気掃除機。
【請求項２】
音量を上げる外部機器を、ＰＬＣ通信機能を有するテレビジョンとすることを特徴とした請求項１に記載の電気掃除機。
【請求項３】
音量を上げる外部機器を、ＰＬＣ通信機能とＣＭ識別機能を有するテレビジョンとすることを特徴とした請求項１に記載の電気掃除機。
【請求項４】
音量を上げる外部機器を、ＰＬＣ通信機能を有するラジオとすることを特徴とした請求項１に記載の電気掃除機。
【請求項５】
音量の上昇具合を電動送風機の回転数に応じて変えることを特徴とした請求項１〜４のいずれか１項に記載の電気掃除機。
【発明の詳細な説明】
【技術分野】
【０００１】
本発明は、電気掃除機に関するものである。
【背景技術】
【０００２】
近年電気掃除機の低騒音化が進んでいるとはいえ、電気掃除機に内蔵された電動送風機から発生する騒音は、一般家庭の日常生活の中で発生する騒音としては比較的大きいものであった。この電動送風機から発生する騒音を低減する方法として、電動送風機のケーシングに設けたタイトキャップに略円筒形状の二重壁を設け、吸引口から発生する騒音の抑制を図ったものも提案されている（例えば特許文献１参照）。
【先行技術文献】
【特許文献】
【０００３】
【特許文献１】特開２０１１−１４４７５７号公報
【発明の概要】
【発明が解決しようとする課題】
【０００４】
しかしながら、上記特許文献１に記載されたような従来の電気掃除機の構成でも、電気掃除機使用中にテレビジョンやラジオの視聴を行っていたときに、電気掃除機の運転音によってテレビジョンやラジオの音声がかき消されてしまう課題があった。
【０００５】
本発明は、上記従来の課題を解決するものであって、電気掃除機を使用しているときでもテレビジョンやラジオの視聴を継続することができる電気掃除機を提供するものである。
【課題を解決するための手段】
【０００６】
前記従来の課題を解決するために、本発明の電気掃除機は、掃除機本体内部に電力を供給する電源コードと、塵埃を吸引する吸引風を発生させる電動送風機と、外部通信機器を有すると共に音を発生する外部機器との通信を前記電源コードを介して通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号の処理や前記電動送風機の動作を検知し制御する制御部とを備え、前記電動送風機の動作時には前記ＰＬＣ通信制御部を介して前記外部通信機器へ音量を上げる信号を送信するもので、外部機器の音声を上げることが可能となり、使用者が電気掃除機の運転音に妨げられることなく、外部機器の音声を聞き取ることが可能となるものである。
【発明の効果】
【０００７】
本発明の電気掃除機は、テレビジョンやラジオの視聴中に電気掃除機が動作していた場合にはテレビジョンやラジオの音量を上げることで、使用者が電気掃除機の運転音に妨げられることなく視聴を継続することができるものである。
【図面の簡単な説明】
【０００８】
【図１】本発明の実施の形態１における電気掃除機の斜視外観図
【図２】同電気掃除機の制御ブロック図
【図３】本発明の実施の形態２における電気掃除機の制御ブロック図
【発明を実施するための形態】
【０００９】
第１の発明は、掃除機本体内部に電力を供給する電源コードと、塵埃を吸引する吸引風を発生させる電動送風機と、外部通信機器を有すると共に音を発生する外部機器との通信
を前記電源コードを介して通信するＰＬＣ（Ｐｏｗｅｒ  Ｌｉｎｅ  Ｃｏｍｍｕｎｉｃａｔｉｏｎ）通信制御部と、前記ＰＬＣ通信制御部からの信号の処理や前記電動送風機の動作を検知し制御する制御部とを備え、前記電動送風機の動作時には前記ＰＬＣ通信制御部を介して前記外部通信機器へ音量を上げる信号を送信するもので、外部機器の音声を上げることが可能となり、使用者が電気掃除機の運転音に妨げられることなく、外部機器の音声を聞き取ることが可能となるものである。
【００１０】
第２の発明は、特に、第１の発明の音量を上げる外部機器を、ＰＬＣ通信機能を有するテレビジョンとするもので、使用者が電気掃除機の運転音に妨げられることなくテレビジョンの音声を聞き取ることが可能となるものである。
【００１１】
第３の発明は、特に、第１の発明の音量を上げる外部機器を、ＰＬＣ通信機能とＣＭ識別機能を有するテレビジョンとするもので、ＣＭ中はテレビジョンの音声を上げることなく省エネが可能となるものである。
【００１２】
第４の発明は、特に、第１の発明の音量を上げる外部機器を、ＰＬＣ通信機能を有するラジオとするもので、使用者が電気掃除機の運転音に妨げられることなくラジオの音声を聞き取ることが可能となるものである。
【００１３】
第５の発明は、特に、第１〜４のいずれかひとつの発明の音量の上昇具合を電動送風機の回転数に応じて変えるもので、使用者が電気掃除機の電動送風機の回転数によって最適な外部機器の音声を選択できるため使い勝手のよい電気掃除機を提供できるものである。
【００１４】
以下、本発明の実施の形態について、図面を参照しながら説明する。なお、この実施の形態によって本発明が限定されるものではない。
【００１５】
（実施の形態１）
図１は、本発明の実施の形態１における電気掃除機の斜視外観図、図２は、同電気掃除機の制御ブロック図である。
【００１６】
図１、２において、本実施の形態における電気掃除機の掃除機本体１は、後部に吸引風を発生する電動送風機２を内蔵し、その前部に、着脱自在で塵埃を捕集する集塵袋３を配置している。掃除機本体１の後方下部の両側に１対の走行用の車輪４が回転自在に取着され、底面前部には、同じく走行用のキャスター５が取着され、後部には掃除機本体１に電源を供給する電源コード６が接続され、電源コード６の先端にはコンセント７に接続するための電源プラグ８が配置されている。
【００１７】
また、掃除機本体１の内部には、電源コード６を介してホームサーバー９との信号の伝達を行うＰＬＣ（Ｐｏｗｅｒ  Ｌｉｎｅ  Ｃｏｍｍｕｎｉｃａｔｉｏｎ）通信制御部１０と、ＰＬＣ通信制御部１０からの信号を受けて電動送風機２を制御する制御部１１が内蔵されている。
【００１８】
また、ホームサーバー９は、ＰＬＣ通信制御部１０からの音量上昇指令を受けて外部機器の一つであるテレビジョン１２へ音量上昇指令を発信する機能を有する。またテレビジョン１２はホームサーバー９からの信号を受信しテレビジョン１２への音量上昇指令を発信する外部通信機器としてテレビジョンＰＬＣ通信制御部１３を有する。またテレビジョン１２は、テレビジョン１２の放送音声のステレオ、モノラルの種類から、ステレオ音声をＣＭと判断し、モノラル音声を番組本編と識別するＣＭ識別機能１４を有する。
【００１９】
また、通常時のテレビジョン１２は、５０ｄＢの音量で音声を出すように設定されてい
る。掃除機本体１には、着脱自在に接続されるホース２１が接続されている。このホース２１の手元には操作手段２２があり、各種の動作モード（例えば、「強」・「中」・「弱」・切等の吸込み力）を選択できるようになっている。そして、ホース２１は、その片方を伸縮自在或いは継ぎ自在の延長管２３と接続する。延長管２３は、掃除面に接して被掃除面の塵埃等を吸引するための吸込具２４と接続される。吸込具２４は、被掃除面の塵埃を掻き上げる回転ブラシ２５と、回転ブラシ２５をベルト２６を介して回転駆動する電動機２７を内蔵している。
【００２０】
以上のように構成された本実施の形態における電気掃除機について、以下その動作、作用を説明する。
【００２１】
使用者が、電源プラグ８をコンセント７に接続後に操作手段２２を操作し、例えば、「弱」モードを選択すると、制御部１１は操作手段２２からの情報を基に、電動送風機２及び電動機２７を駆動させる。このときに電動送風機２は３００００ｒｐｍで高速回転し、５０ｄＢもの大きな騒音を出す。
【００２２】
そのため通常は掃除中にテレビジョン１２が音声を流していても、テレビジョン１２の音量も５０ｄＢのため、使用者がテレビジョン１２の音声を十分に聞き取ることができない。
【００２３】
しかし、ここで電動送風機２の動作中にテレビジョン１２が音声を流しているとする。電動送風機２が動作中の場合、制御部１１は、ＰＬＣ通信制御部１０を介してホームサーバー９を経由して、テレビジョン１２へ向けて電源コード６を介して電動送風機２が動作していることを発信する。前記電動送風機２が動作していることを受信したテレビジョン１２は、音声の音量を５０ｄＢから５５ｄＢへ上げる。このときに電動送風機２が「強」モードで回転していた場合、制御部１１は、ＰＬＣ通信制御部１０へさらにテレビジョン１２の音量を上げるよう信号を発信し、テレビジョン１２は音量を６０ｄＢまで上げる。
【００２４】
以上の動作によって使用者は、掃除機本体１を使用中に電動送風機２から発生する騒音に邪魔されること無く、テレビジョンの音声を聞き取ることができ、使い勝手の良い電気掃除機を使用者に提供することが出来る。
【００２５】
さらにテレビジョン１２のＣＭ識別機能１４により電動送風機２が運転中であってもテレビジョン１２の音量上昇は行わない。通常の使用者は、掃除中にテレビＣＭに興味を示すことは稀なため、テレビジョン１２の音声を上昇させることによる消費電力の上昇を抑制することが可能となり、より使い勝手のいい電気掃除機を使用者に提供することができるものである。
【００２６】
また本発明の通信手段は有線方式であり、電波の干渉による通信不良を起こすことなく確実に通信を行えるため、より使い勝手のいい電気掃除機を使用者に提供することができるものである。
【００２７】
（実施の形態２）
図３は、本発明の実施の形態２における電気掃除機の制御ブロック図である。なお、上記実施の形態と同一部分については同一符号を付してその説明を省略する。
【００２８】
本実施の形態における電気掃除機は、運転中に外部機器の一つであるラジオの音声を十分聞き取れるようにしたもので、ラジオ５１は、ホームサーバー９からの信号を受信しラジオ５１への音量上昇指令を発信する外部通信機器としてラジオＰＬＣ通信制御部５２を有している。
【００２９】
以上のように構成された本実施の形態における電気掃除機について、以下その動作、作用を説明する。
【００３０】
使用者が、電源プラグ８をコンセント７に接続後に操作手段２２を操作し、例えば、「弱」モードを選択すると、制御部１１は、操作手段２２からの情報を基に、電動送風機２及び電動機２７を駆動させる。
【００３１】
このときに電動送風機２は３００００ｒｐｍで高速回転し、５０ｄＢもの大きな騒音を出す。
【００３２】
そのため通常は掃除中にラジオ５１が音声を流していても、ラジオ５１の音量も５０ｄＢのため、使用者はラジオ５１の音声を十分に聞き取ることができない。
【００３３】
しかし、ここで電動送風機２の動作中にラジオ５１が音声を流しているとする。電動送風機２が動作中の場合、制御部１１は、ＰＬＣ通信制御部１０を介してホームサーバー９を経由して、ラジオ５１へ向けて電源コード６を介して電動送風機２が動作していることを発信する。前記電動送風機２が動作していることを受信したラジオ５１は音声の音量を５０ｄＢから５５ｄＢへ上げる。このときに電動送風機２は、「強」モードで回転していた場合、制御部１１は、ＰＬＣ通信制御部１０へさらにラジオ５１の音量を上げるよう信号を発信し、ラジオ５１は音量を６０ｄＢまで上げる。
【００３４】
以上の動作によって使用者は、掃除機本体１を使用中に電動送風機２から発生する騒音に邪魔されること無く、ラジオ５１の音声を聞き取ることができ、使い勝手の良い電気掃除機を使用者に提供することが出来る。またラジオ５１は一般的にリモートコントロール機能をもたないため使用者が音量を変更しようとすると、ラジオ５１の傍まで行ってから音量の変更を行う必要があるが、本実施の形態における電気掃除機は、電動送風機２の回転中は自動的にラジオ５１の音量を上昇させるため、使用者がラジオ５１の傍まで行って音量調整を行う手間を省くことが可能となり、使い勝手のよい電気掃除機を使用者に提供できるものである。
【００３５】
また本発明の通信手段は有線方式であり、電波の干渉による通信不良を起こすことなく確実に通信を行えるため、より使い勝手のいい電気掃除機を使用者に提供することができるものである。
【産業上の利用可能性】
【００３６】
以上のように、本発明にかかる電気掃除機は、掃除作業中でもテレビジョンやラジオの音を支障なく聞き取れるもので、各種家庭用、業務用電気掃除機等に広く適用できる。
【符号の説明】
【００３７】
１  掃除機本体
２  電動送風機
６  電源コード
９  ホームサーバー
１０  ＰＬＣ通信制御部
１１  制御部
１２  テレビジョン（外部機器）
１３  テレビジョンＰＬＣ通信制御部（外部通信機器）
５１  ラジオ（外部機器）
５２  ラジオＰＬＣ通信制御部（外部通信機器）
【図１】
2014100281.tif 000003
【図２】
2014100281.tif 000004
【図３】
2014100281.tif 000005